(57)【特許請求の範囲】
【請求項１】
前後方向に延びる内側空間を有するとともに当該内側空間に連なるスリットが上端部の前後方向に設けられたケースと、このケース内に収容されるとともに、当該ケースの前端から出没可能に設けられたカッター刃と、このカッター刃を保持して前記ケース内で前後方向に移動可能に設けられたスライダと、このスライダに装着されるとともに前記ケース側に係脱可能に設けられた前部屈曲部を有する板ばねとを備え、
前記スライダは、前記ケース内に位置するスライダ本体と、このスライダ本体に対して前後方向に相対移動可能に組み合わされるとともに、前記スリットを通じて前記ケースの上部側に位置する操作部材とを含むカッターナイフにおいて、
前記スライダ本体と操作部材との間に当該操作部材の初期位置保持機構が設けられ、この初期位置保持機構は、前記板ばねに設けられた位置規制部を構成する屈曲部と、前記操作部材に設けられるとともに前記屈曲部を脱落不能に受容する穴若しくは凹部とを含み、
前記屈曲部が前記穴若しくは凹部に受容された状態で操作部材がスライダ本体に対して初期位置に保持される一方、前記屈曲部を穴若しくは凹部内で変位させることで前記スライダ本体と操作部材との前記相対移動が許容されることを特徴とするカッターナイフ。
【請求項２】
前記位置規制部は、略Ｌ字状の屈曲部により構成されていることを特徴とする請求項１記載のカッターナイフ。
【請求項３】
前記穴若しくは凹部は、前記屈曲部の形状に略対応する傾斜面を備えていることを特徴とする請求項２記載のカッターナイフ。
【請求項４】
前記板ばねは、前記スライダ本体の一方の側面に沿って配置された単一の部材により構成されていることを特徴とする請求項１ないし３の何れかに記載のカッターナイフ。
【請求項５】
前記板ばねは、前記スライダ本体の一方の側面に沿って配置された単一の部材により構成され、前記操作部材は、前記スライダ本体に組み合わされたときに当該スライダ本体の他方の側面に相対する相対面を備え、
前記板ばねは、前記スライダ本体の一方の側面から他方の側面側に曲げられたシフト領域を備え、
前記シフト領域の端部に前記位置規制部が形成されていることを特徴とする請求項１な
いし４の何れかに記載のカッターナイフ。
【発明の詳細な説明】
【技術分野】
【０００１】
本発明はカッターナイフに係り、更に詳しくは、カッター刃を出没操作させるスライダの操作部材をスライダ本体に対して初期位置に保持する機構を備えたカッターナイフに関する。
【背景技術】
【０００２】
公知のカッターナイフは、前後方向に延びる略Ｃ字状のケースと、このケース内で前後方向移動可能に設けられたスライダと、当該スライダに後端側が保持されるカッター刃とを備えて構成されている。スライダとケースとの間にはロック機構が介装されており、このロック機構により、カッター刃をケースの前端から段階的に突出できる一方、カッター刃を一定の位置に保つことが可能となっている。
【０００３】
このタイプのカッターナイフは、前記スライダがケースの側面側に位置しており、右手利きの人が利用する場合には、右手親指にて容易に操作することができるが、左手利きの人にとっては使い勝手が非常に悪いものとなる。
【０００４】
そこで、本出願人は、例えば、特許文献１に記載されているように、ケースの上端部に操作部材を配置して利き手に影響を与えない、いわゆるユニバーサルタイプのカッターナイフを提案した。このカッターナイフは、ケース内に位置するスライダ本体及び当該スライダ本体に前後方向移動可能に組み合わされる操作部材を含むスライダと、スライダ本体とケースとの間に設けられた板ばねをケース側に係脱可能に設けることで、スライダのロック及びロック解除を行うロック機構とを備え、前記板ばねと操作部材とを部分的に係り合わせることで当該操作部材がスライダ本体に対して初期位置に保たれる構成となっている。
【先行技術文献】
【特許文献】
【０００５】
【特許文献１】特開２００８−２２９０７６号公報
【発明の概要】
【発明が解決しようとする課題】
【０００６】
特許文献１に記載されたカッターナイフは、板ばねの後端側に屈曲部を設ける一方、操作部材側に突状部を設け、屈曲部間に突状部を位置させることで操作部材の初期位置が保たれるように構成されており、操作部材に操作力を付与したときに、屈曲部の屈曲角度が拡大する方向に変形することでスライダ本体と操作部材との相対移動を一定量許容してスライダの前後移動が行われる構成となっている。
しかしながら、特許文献１に記載されたカッターナイフにあっては、板ばねの後端側に設けられた屈曲部が、その屈曲角度を変化することで前記相対移動が許容されるものであった。そのため、初期位置にある操作部材がスライダ本体に対して前後にフリーな状態となる、いわゆる「遊び」があり、操作力を付与したときに応答性や、操作力を解除したときの操作部材の初期位置復帰動作の円滑性を改善しながらロック機構の確実性を向上させる余地があることが判明した。
【０００７】
［発明の目的］
本発明は、このような不都合に着目して案出されたものであり、その目的は、スライダ本体と操作部材とを前後方向に相対移動可能に組み合わせても、操作部材が常に初期位置を保持することができ、操作部材に操作力を付与したときに、応答性を良好に保ってスライダに操作力を伝達する一方、操作力を解除したときに、スライダ本体に対する操作部材の初期位置復帰を迅速に行うことのできるカッターナイフを提供することにある。
【課題を解決するための手段】
【０００８】
前記目的を達成するため、本発明は、前後方向に延びる内側空間を有するとともに当該内側空間に連なるスリットが上端部の前後方向に設けられたケースと、このケース内に収容されるとともに、当該ケースの前端から出没可能に設けられたカッター刃と、このカッター刃を保持して前記ケース内で前後方向に移動可能に設けられたスライダと、このスライダに装着されるとともに前記ケース側に係脱可能に設けられた前部屈曲部を有する板ばねとを備え、
前記スライダは、前記ケース内に位置するスライダ本体と、このスライダ本体に対して前後方向に相対移動可能に組み合わされるとともに、前記スリットを通じて前記ケースの上部側に位置する操作部材とを含むカッターナイフにおいて、
前記スライダ本体と操作部材との間に当該操作部材の初期位置保持機構が設けられ、この初期位置保持機構は、前記板ばねに設けられた位置規制部を構成する屈曲部と、前記操作部材に設けられるとともに前記屈曲部を脱落不能に受容する穴若しくは凹部とを含み、
前記屈曲部が前記穴若しくは凹部に受容された状態で操作部材がスライダ本体に対して初期位置に保持される一方、前記屈曲部を穴若しくは凹部内で変位させることで前記スライダ本体と操作部材との前記相対移動が許容される、という構成を採っている。
【００１０】
本発明において、前記位置規制部は、略Ｌ字状の屈曲部により構成されている。
【００１１】
更に、前記穴は、前記屈曲部の変位動作を案内する傾斜面を備えた構成を採用することが好ましい。
【００１２】
また、前記板ばねは、前記スライダ本体の一方の側面に沿って配置された単一の部材により構成されている。
【００１３】
更に、前記板ばねは、前記スライダ本体の一方の側面に沿って配置された単一の部材により構成され、前記操作部材は、前記スライダ本体に組み合わされたときに当該スライダ本体の他方の側面に沿う相対面を備え、
前記板ばねは、前記スライダ本体の一方の側面から他方の側面側に位置するシフト領域を備え、
前記シフト領域に前記位置規制部が形成される、という構成を採っている。
【発明の効果】
【００１４】
本発明によれば、板ばねに設けられた位置規制部と、操作部材に設けられた受容部とにより初期位置保持機構が構成されているため、位置規制部が受容部に収まった状態で操作部材の初期位置が一定位置で安定して保持される。この一方、操作部材に前後方向に向かう操作力を付与したときに、位置規制部は、それ自体の形状を保有したまま受容部内で変位するだけで操作部材の操作力をスライダ本体に及ぼすことができる。従って、操作部材とスライダ本体とが前後に相対移動可能であっても、実質的に両者間に「遊び」がない状態に保たれ、操作部材に操作力を付与したときに、これに応答してスライダ本体に操作力が及ぶ一方、操作力の付与を解除したときに、スライダ本体に対して操作部材が直ちに初期位置に復帰する動作を行うことが可能となる。しかも、位置規制部は、受容部内での変位であるため、動作不良を生ずるような不都合も解消できる。
また、位置規制部を屈曲部により構成し、受容部が屈曲部を脱落不能且に受容する形状に設けられているので、初期位置復帰機構を極めて簡単に構成することができる。
更に、屈曲部を略Ｌ字状とし、受容部を穴若しくは凹部により構成した構成により、屈曲部が穴内で前後方向に容易に移動でき、且つ、屈曲部が穴に対して出没する方向への移動もスムースに行うことができる。
特に、穴に傾斜面を設けた場合、前記移動動作はより一層スムースに行うことができる。
また、板ばねを単一部材により構成することで、部品点数も少なくでき、組立作業の簡易化と、コスト負担軽減を図ることができる。
【図面の簡単な説明】
【００１５】
【図１】本実施形態に係るカッターナイフの概略斜視図。
【図２】前記カッターナイフの分解斜視図。
【図３】ケースにガイド部材を収容した状態を示す平面図。
【図４】（Ａ）は図３の縦断面図。（Ｂ）は図４（Ａ）のＡ−Ａ線に沿う拡大断面図。
【図５】（Ａ）はガイド部材の平面図、（Ｂ）はガイド部材の中央断面図。
【図６】スライダにカッター刃を保持させた状態を示す概略斜視図。
【図７】（Ａ）はスライダ本体の正面図、（Ｂ）は同背面図、（Ｃ）は同平面図、（Ｄ）は同底面図。
【図８】（Ａ）は図７（Ａ）のＢ−Ｂ線断面図、（Ｂ）は同Ｃ−Ｃ線断面図、（Ｃ）は同Ｄ−Ｄ線断面図、（Ｄ）は同Ｅ−Ｅ線断面図。
【図９】（Ａ）は押さえ部材の正面図、（Ｂ）は同平面図、（Ｃ）は同底面図、（Ｄ）は同背面図、（Ｅ）は図９（Ｄ）のＦ−Ｆ線断面図、の図８のＢ−Ｂ線に沿う拡大断面図。
【図１０】（Ａ）は操作部材の正面図、（Ｂ）は同背面図、（Ｃ）は同平面図。
【図１１】（Ａ）は操作部材の左側面図、（Ｂ）は図１０（Ｂ）のＧ−Ｇ線断面図、（Ｃ）は同Ｈ−Ｈ線拡大断面図。
【図１２】（Ａ）は板ばねの平面図、（Ｂ）は同正面図、（Ｃ）は図１２（Ｂ）のＩ−Ｉ線断面図、（Ｄ）は板ばねの背面図。
【図１３】スライダ本体にカッター刃を装着する作用説明図。
【図１４】押さえ部材でカッター刃を押さえ付けた状態を示す作用説明図。
【図１５】スライダ本体に板ばね部材を装着した状態を示す作用説明図。
【図１６】（Ａ）〜（Ｄ）は初期位置保持機構の動作説明図。
【発明を実施するための形態】
【００１６】
以下、本発明の実施形態を、図面を参照しながら詳細に説明する。なお、本明細書において、「前」とは、カッター刃の先端が位置する側について用いられる一方、「後」とは、その反対側について用いられる。
【００１７】
図１及び図２において、カッターナイフ１０は、前後方向に延びる内側空間Ｓ（図４（Ｂ）参照）を有するケース１２と、このケース１２内に収容されたガイド部材１３と、当該ガイド部材１３に沿って前後方向に移動可能に設けられてケース１２の前端から出没可能となるカッター刃１４と、このカッター刃１４を保持するとともに当該カッター刃１４と共にガイド部材１３に沿って移動可能に設けられたスライダ１５と、当該スライダ１５とケース１２との間に設けられるとともに、前記ケース１２側に係脱可能に設けられてスライダ１５のロック及びその解除を許容してロック機構としての作用を奏する板ばね１７とを備えて構成されている。
【００１８】
前記ケース１２は前後方向に延びて手の平に握ることのできる細長い形状とされている。このケース１２は、前後方向に延びる底壁２０と、当該底壁２０の短寸幅方向に連なる一対の側壁面２１と、これら側壁面２１の上部間に連なる頂壁２２とを含む。ケース１２の前端及び後端は開放形状とされ、前端にはキャップ２３が、後端には尾栓２５が着脱自在に取り付けられる。頂壁２２には、図３及び図４（Ｂ）に示されるように、一方の側壁面２１側に幾分シフトした位置に、前記内側空間Ｓに連なるスリット２７が後端から前端部手前位置まで形成されている。また、キャップ２３の前端面には、前記ガイド部材１３の先端部領域を突出させるための縦穴２８が形成されている。前記側壁面２１及びキャップ２３の側面間に跨る領域には、前後方向に延びる窓穴２９が形成されており、当該窓穴２９を通じて内部に位置するカッター刃１４の残存長さを視認できるようになっている。本実施形態におけるケース１２は、適宜な樹脂材料を用いて一体成形されているが、厚み方向（前記側壁面２１の面に直交する方向）の中間位置を合わせ面とする二分割型として成形したり、キャップ２３をケース１２と一体的に形成することもできる。
【００１９】
図４に示されるように、前記底壁２０の後端部上面側は一段低い後部底壁２０Ａとされており、当該後部底壁２０Ａの領域内における前記側壁面２１の相対面には、前後方向に延びる溝部３０が形成され、当該溝部３０に前記尾栓２５に形成された突部３１が嵌合可能となっている。尾栓２５は、後端が湾曲した閉塞面となっており、上端面は、前記頂壁２２に形成されたスリット２７に連なるスリット３２が形成されている。
【００２０】
前記カッター刃１４は、先端及び後端が刃縁の延出方向に対して傾斜して平面視略平行四辺形の板状をなし、後部に穴１４Ａを備えた公知のカッター刃と同一の構造のものが用いられている。
【００２１】
前記ガイド部材１３は、図５に示されるように、前記ケース１２の底壁２０及び側壁面２１に略平行に相対するベース面３４、及び、当該ベース面３４の短寸幅方向両側に連なって略鉛直上方に向けられるとともに、前記カッター刃１４と略平行な面を形成する一対の側壁面３５とを含む。側壁面３５の前端側は、相互離間幅が次第に狭くなる傾斜面部３５Ａと、当該傾斜面部３５Ａの前端に連なってカッター刃１４の通過を鉛直面内で略直線上に案内する隙間に設定された平行面部３５Ｂとされ、当該平行面部３５Ｂが前記ケース１２の前壁２３に形成された縦穴２８を貫通して前方に突出するようになっている。
【００２２】
前記一対の側壁面３５における一方の側壁面３５の上端部には、前後方向に沿って定ピッチで配置された切欠部３７が形成され、更に前方位置には、後方上向きに突出する舌片部３８が連設されている。この舌片部３８は、ガイド部材１３をケース１２内の後端から挿入した際の挿入限を決定するようになっている。なお、側壁面３５の前部領域には、前後方向に延びて前記ケース１２の窓穴２９にオーバーラップする内側窓穴３９が形成されている。
【００２３】
前記スライダ１５は、前記カッター刃１４を着脱可能に保持するように構成されている。このスライダ１５は、図２に示されるように、カッター刃１４の後部に形成された穴１４Ａ内に収まる突部４１を備えたスライダ本体４２と、当該スライダ本体４２と相互に作用してカッター刃１４の後端部を挟み込むように設けられた押さえ部材４３と、前記スライダ本体４２に対して前後方向に相対移動可能に組み合わされる操作部材４４とを含む。
【００２４】
前記スライダ本体４２は、カッター刃１４の面と略平行に位置して前後方向に延びる平面視略板状をなす外形に設けられている。このスライダ本体４２は、図６ないし図８に示されるように、カッター刃１４の後端部における一方の面に沿って位置するとともに前記突部４１が一体に設けられた保持面部４６と、この保持面部４６の後部に連なって操作部材４４の取り付け領域を形成する取付部４７とからなる。保持面部４６には、その内面側に傾斜隆起部４６Ａが形成されている一方、上下両側には上部水平部４６Ｂ及び下部水平部４６Ｃ、及び上部水平部４６の後端に連なる後端４６Ｄが形成されている。傾斜隆起部４６Ａはカッター刃１４の後端縁形状に対応して当該カッター刃１４の後端位置を規制する一方、上部水平部４６Ｂは、カッター刃１４の後端上縁に係り合って当該カッター刃１４を仮保持したときの回転規制部として作用するようになっている。ここで、傾斜隆起部４６Ａより後方位置の上下水平部４６Ｂ、４６Ｃには前記押さえ部材４３を揺動自在に支持する軸受部４８が形成されている。
【００２５】
前記取付部４７は、保持面部４６の後部に連なる上面部４９及び下面部５０と、これら上面部４９及び下面部５０間の正面部５１とを含む。上面部４９には、その中央部の前後方向にばね装着部５２が上向きに突設されているとともに後端部に立ち上がり部５３が設けられている。この一方、正面部５０の面内には、前後方向二箇所に前後方向に向けられたスロット穴５５が設けられている。ばね装着部５２は、図７（Ａ）中手前側となる内側の面内中央部に凹陥部５６が形成されているとともに、当該凹陥部５６内に突起５８が形成され、また、凹陥部５６よりも右側（後方）位置には、前後方向に延びる爪片状の凸部５９が形成されている。正面部５１の図７（Ａ）中手前側面の下部には板厚を部分的に薄くする湾曲凹部５１Ａが形成されている。
【００２６】
前記押さえ部材４３は、図６及び図９に示されるように、前記保持面部４６及び取付部４７に跨って位置する本体面６３と、この本体面６３の図９（Ａ）中右側に細長く連なる押圧操作面６４とを含む。本体面６３の図９（Ａ）中左端側は、スライダ本体４２の突部４１の略半分を受け入れる切欠部６３Ｂが形成された押さえ面６３Ａとされ、本体面６３の中央部には、図９（Ｄ）に示されるように、スライダ本体４２に設けられた軸受部４８に嵌合する上下一対の突軸６５が設けられているとともに、その右側には、カッター刃１４の後端傾斜縁に対応する隆起傾斜部６６が形成されている。また、前記押圧操作面６４は、本体面６３の面に対して傾斜した方向に延びているとともに、先端（後端）に屈曲端部６４Ａを備えた形状とされている。屈曲端部６４Ａは、スライダ本体４２の取付部４７に当接し、押圧操作面６４は、取付部４７に設けられた湾曲凹部５１Ａに相対する位置で当該湾曲凹部５１Ａとの間に押圧代となる隙間を形成するようになっている。
前記押さえ部材４３は、押圧操作面６４の外面側を指先で押圧することにより、本体面６３が突軸６５の軸線を回転中心として揺動可能となっている。従って、本体面６３の前端側すなわち切欠部６３Ａが形成されている押さえ面６３Ａ側がスライダ本体４２の保持面部４６に対して離間接近する方向に変位することで、カッター刃１４の着脱が可能となる。
【００２７】
前記操作部材４４は、図６、図１０及び図１１に示されるように、前記ケース１２の頂壁２２に沿って前後方向に延びる操作用平面７２と、この操作用平面７２の短寸幅方向一端側の上面に連設されるとともに、ケース１２のスリット２７を貫通する状態に位置する連結片７３と、当該連結片７３を介して略片持ち姿勢で連設された指当て部７４と、前記操作用平面７２の短寸幅方向他端側に連設されて前記スライダ本体４２の取付部４７に相対する相対面としての垂下面７６と、この垂下面７６の面内における前後二箇所に設けられるとともに、前記スライダ本体４２のスロット穴５５内に脱落不能に挿入される挿入片部７７とを含む。前記垂下面７６の後端は、図１０（Ｃ）に示されるように、操作用平面７２の後端よりも後方に位置する長さを有し、その後端に後端壁部７８が設けられている。また、挿入片部７７の前後方向長さは、スロット穴５５の長さよりも小さい長さとされており、これにより、操作部材４４がスライダ本体４２に対して前後方向に沿って相対移動可能に組み合わせ可能となっている。ここで、操作片部７７の長さとスロット穴５５の長さとの差は、操作部材４４をスライダ本体４２に組み合わせて操作部材４４が初期位置に保たれたときの、当該操作部材４４の先端とスライダ本体４２の上部水平部４６Ｂに連なる後端４６Ｄとの間の距離に略等しくなっている。
前記垂下面７６において、前記挿入片部７７間の上方位置には、前後方向に延びるスロット部８０が形成され、当該スロット部８０にスライダ本体４２の突部５９が前後方向移動可能に嵌合可能となっている。また、このスロット部８０よりも後方位置には受容部としての穴８１が形成され、当該穴８１に、板ばね１７の後述する屈曲部が受容可能となっている。この穴８１は、図１１（Ｂ）に示されるように、内面側（同図中上面側）の開口幅が大きく外面側（同図中下面側）の開口幅が狭くなる状態で相対する一対の傾斜面８１Ａ、８１Ｂに設けられている。また、垂下面７６の前端部内面側には、前後方向に二箇所に設けられた前部突起８２Ａ及び後部突起８２Ｂが形成されている。
【００２８】
前記板ばね１７は、図２及び図１２に示されるように、前後方向に延びるばね本体８３と、このばね本体８３の前端側（図１２（Ａ）中左端側）に設けられた前部屈曲部８５と、後端側に設けられた位置規制部としての屈曲部８６と、ばね本体８３の中央部に設けられた折り曲げ片部８７とを含む。ばね本体８３は、スライダ本体４２に取り付けられたときに、略鉛直面内に位置するようになっている。このばね本体８３は、折り曲げ片部８７が設けられている位置よりも後方が、スライダ１５を組み立てたときに、操作部材４４の垂下面７６側に向けられる方向に屈曲するシフト領域７９とされている。
前部屈曲部８５は、折り曲げ長さの長い中央屈曲部８５Ａと、その前後両側に位置する一対の補強屈曲部８５Ｂとを含む。また、位置規制部として作用する屈曲部８６は、平面視で略Ｌ字状に折り曲げて形成され、屈曲部８６の中央部となる屈曲縁８６Ａが前記垂下面７６に形成された穴８１側に位置するように形成されている。ここにおいて、屈曲部８６と、前記穴８１とにより、操作部材４４の初期位置保持機構が構成される。
また、前記折り曲げ片部８７は、図１２（Ｃ）に示されるように、平面部８７Ａと、当該平面部８７Ａの先端から下方に向けられた側面部８７Ｂとからなり、側面部８７Ｂの面内には、角穴８７Ｃが形成されている。この折り曲げ片部８７は、スライダ本体４２におけるばね装着部５２の上面側を回り込むように配置され、前記角穴８７Ｃ内にスライダ本体４２の突起５８が嵌合可能となっている。
【００２９】
なお、本実施形態におけるカッターナイフ１０は、前記スライダ１５を除く他の構成部品が、既提案の特開２００８−２２９０７６号公報（特許文献１）に開示されたカッターナイフと実質的に同様の構成となっている。
【００３０】
次に本実施形態におけるカッターナイフ１０の組み立て方法と使用方法について図１３ないし図１６をも参照して説明する。
【００３１】
最初に、ガイド部材１３をケース１２の後部から挿入して内側空間Ｓ内に嵌合して固定しておく。この一方、スライダ１５は、スライダ本体４２に押さえ部材４３、板ばね１７及び操作部材４４を順次組み合わせる。この組み合わせは、先ず、スライダ本体４２に押さえ部材４３を相対させた状態（図１３、図１４参照）で重ね合わせるとともに、押さえ部材４３の突軸６５をスライダ本体４２側の軸受部４８に強制的に嵌め込む。これにより、押さえ部材４３は、押圧操作面６４を押圧することにより、押さえ面６３Ａ側が保持面部４６に対して離間接近する方向に揺動可能となり、それらの間にカッター刃１４の後端部を挟み込むことが可能となる。このカッター刃１４の着脱操作は、実質的に特許文献１の着脱操作と同様である。
【００３２】
次いで、スライダ本体４２におけるばね装着部５２の外面側に板ばね１７のばね本体８３を添わせるとともに、ばね装着部５２の上面側を前記折り曲げ片部８７が回り込むように位置させ、当該折り曲げ片部８７の角穴８７Ｃ内にスライダ本体４２の突起５８を嵌め込み、これにより、板ばね１７がばね装着部５２に脱落不能となる状態で装着される。板ばね１７がばね装着部５２に取り付けられた状態では、図１５に示されるように、前部屈曲部８５は、ばね装着部５２の前端と、前記保持面部４６の後端４６Ｄとの間に位置し、後部の屈曲部８６は、立ち上がり部５３近傍の前方で、図１５中紙面手前側にシフトした位置に保たれる。
【００３３】
板ばね１７の装着を完了した状態で、スライダ本体４２に操作部材４４を組み合わせる。この組み合わせは、操作部材４４の垂下面７６をスライダ本体４２の内側面に相対させて挿入片部７７をスロット穴５５に挿入することによって行うことができる。この挿入が行われると、同時に、操作部材４４のスロット部８０内にスライダ本体４２の凸部５９が嵌合するとともに、板ばね１７の屈曲部８６が操作部材４４の穴８１内に完全に受容された初期位置に保持される。この初期位置では、操作部材４４の前部突起８２Ａ及び後部突起８２Ｂに、板ばね１７に設けられた前後一対の補強屈曲部８５Ｂが乗り上がった状態となり（図１６（Ａ）参照）、また、中央屈曲部８５Ａがガイド部材１３の切欠部３７に係り合い可能となる突出位置（ロック位置）に保たれる。このようにしてスライダ１５の組み立てを完了した状態で、押さえ部材４３の押圧操作面６４を押圧して当該押さえ部材４３とスライダ本体４２との間にカッター刃１４を挟み込んで保持させることができる。
【００３４】
スライダ１５にカッター刃１４を保持させた状態のユニットは、カッター刃１４の先端側を差し込み方向先端側として、前記ケース１２内に挿入される。この際、操作部材４４を片持ち姿勢で支持する連結片７３は、ケース本体１２のスリット２７を上下に貫通する状態で位置し、頂壁２２上に指当て部７４が位置することとなる。そして、ケース１２の後端部に尾栓２５を差し込んで嵌合させ、これにより、カッターナイフ１０の組み立てを完了することができる。
【００３５】
カッター刃１４をケース１２の前端から突出させる場合には、図１６（Ａ）に概略的に示される初期位置において、前記指当て部７４に指先を当てがい、操作部材４４に前方（同図中左方）に向かって操作力を付与すればよい。これにより、同図（Ｂ）に示されるように、操作部材４４がスライダ本体４２に装着された板ばね１７に対して前方に相対移動し、屈曲部８６が穴８１の傾斜面８１Ａに接しつつ図中上昇する方向に変位し始め、更に操作部材４４の前進により当該操作部材４４の前端が保持面部４６の後端４６Ｄに突き当たる移動限まで移動したときに、屈曲部８６が穴８１の図１６中右側の傾斜面８１Ａに接しつつ当該穴８１から脱落しない範囲で最大に変位する一方、補強屈曲部８５Ｂが前部突起８２Ａ、後部突起８２Ｂから滑り落ちることを許容して中央屈曲部８５Ａをガイド部材１３の切欠部３７から脱出させることができる。この時、ロックが解除できる状態となる。そして、この状態で操作部材４４を前進させることで、カッター刃１４を一体に備えたスライダ１５がケース１２内で前進してカッター刃１４を先端から突出させることができる。なお、操作部材４４への操作力を解除した時は、一方の傾斜面８１Ａから受ける反発力を利用して屈曲部８６が元の位置に戻ろうとする力を発揮することで操作部材４４はスライダ本体４２に対して後退する方向に移動し、屈曲部８６が穴８１内に完全に受容された初期位置復帰状態となる。そして、このとき、補強屈曲部８５Ｂが前部突起８２Ａ、後部突起８２Ｂに乗り上がって中央突起８５Ａを突出させ、当該中央突起８５Ａが切欠部３７に再び係り合うロック状態となる。
【００３６】
この一方、カッター刃１４をケース１２内に収める場合には、前記指当て部７４を後方に向かって操作すればよい。これにより、板ばね１７の屈曲部８６は、穴８１の図１６中左側の傾斜面８１Ｂに接しつつ変位する一方、補強屈曲部８５Ｂは、前部突起８２Ａ、後部突起８２Ｂの左側に滑り落ちることを許容するように変位し、操作部材４４を前進させたときの動作と実質的に同じ動作を行うこととなる。そして、任意の位置で指当て部７４への操作力を解除することで、操作部材４４がスライダ本体４２に対して直ちに初期位置に復帰する。
【００３７】
従って、このような実施形態によれば、板ばね１７の屈曲部８６が操作部材４４の穴８１内に受容される状態において、中央屈曲部８５Ａがガイド部材１３の切欠部３７に係り合う位置で、スライダ本体４２に対する操作部材４４の初期位置を安定的に保持することができる。そして、操作部材４４を操作したときに、屈曲部８６が穴８１内で変位するのと同時に中央屈曲部８５Ａと切欠部３７との係り合いを解除することで、応答性に優れたスライダ１５の操作感を付与することができる。
また、操作部材４４の操作力を解除したときに、屈曲部８６が穴８１内に瞬間的に落ち込むように変位して受容されるので、初期位置復帰動作を迅速且つ確実に行うことができる。
【００３８】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００３９】
例えば、前記実施形態では、位置規制部を構成する屈曲部８６がＬ字状である場合を図示説明したが、実質的に同様の作用を奏する限り、その形状は限定されるものではない。また、屈曲部８６を受容する穴８１に替えて、凹部を操作部材４４の面内に形成しても同様の作用、効果を奏することができる。
【００４０】
更に、板ばね１７の形状も種々変更が可能である。例えば、ガイド部材１３に設けた切欠部３７を特許文献１と同様に一対配置とし、一対の切欠部に係り合いとその解除を可能とする前部屈曲部８５を一対設けることも可能である。
【符号の説明】
【００４１】
１０  カッターナイフ
１２  ケース
１３  ガイド部材
１４  カッター刃
１４Ａ  穴
１５  スライダ
１７  板ばね
２２  スリット
４２  スライダ本体
４４  操作部材
７６  垂下面（相対面）
７９  シフト領域
８１  穴（受容部）
８１Ａ  傾斜面
８６  屈曲部（位置規制部）
Ｓ  内側空間
【図１】
0005753967.tif 000002
【図２】
0005753967.tif 000003
【図３】
0005753967.tif 000004
【図４】
0005753967.tif 000005
【図５】
0005753967.tif 000006
【図６】
0005753967.tif 000007
【図７】
0005753967.tif 000008
【図８】
0005753967.tif 000009
【図９】
0005753967.tif 000010
【図１０】
0005753967.tif 000011
【図１１】
0005753967.tif 000012
【図１２】
0005753967.tif 000013
【図１３】
0005753967.tif 000014
【図１４】
0005753967.tif 000015
【図１５】
0005753967.tif 000016
【図１６】
0005753967.tif 000017